【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
被写体の映像を撮影する撮影手段と、
前記撮影手段によって撮影された映像を記録可能な外部記録媒体と、前記外部記録媒体とは異なる外部機器とに接続可能な接続手段と、
操作手段と、
前記接続手段に接続されている機器を判別する判別手段と、
前記判別手段による判別に応じて前記操作手段の機能を切り替えるように制御する制御手段と、を有することを特徴とする撮影装置。
【請求項２】
前記操作手段として、前記撮影手段によって撮影される映像の画角調整を行えるズーム操作部を有し、
前記制御手段は、前記判別手段が、前記接続手段に接続される前記外部機器がＴＶチューナーの機能を有すると判別した場合、前記ズーム操作部が、ＴＶの選局操作を行うように機能するように制御することを特徴とする請求項１に記載の撮影装置。
【請求項３】
前記ズーム操作部は、常に中立位置へと復帰するように構成された操作部材であり、
前記制御手段は、撮影モードの場合は前記ズーム操作部での前記画角調整でのズーミングのスピードを該ズーム操作部の押し量によって可変させるように制御し、ＴＶ視聴モードの場合は前記ズーム操作部による選局操作での選局のスピードを該ズーム操作部の押し量によって可変させるよう制御することを特徴とする請求項２に記載の撮影装置。
【請求項４】
前記操作手段として、前記撮影手段による撮影のフォーカス調整部を有し、
前記制御手段は、前記判別手段が、前記接続手段に接続される前記外部機器がＴＶチューナーの機能を有すると判別した場合、前記フォーカス調整部が、ＴＶの音量調整を行うように機能するように制御することを特徴とする請求項１または２に記載の撮影装置。
【請求項５】
前記フォーカス調整部は、連続的に滑らかに回転するように構成された操作部材であることを特徴とする請求項４に記載の撮影装置。
【請求項６】
被写体の撮影及びＴＶ映像の表示制御を行える撮影装置であって、
被写体の映像を撮影する撮影手段と、
ズーム操作部と、
表示部にＴＶ映像を表示するよう制御するＴＶ映像表示制御手段と、
当該撮影装置を少なくとも前記撮影手段によって撮影を行う撮影モードと、前記ＴＶ映像表示制御手段によってＴＶ映像を表示するように制御するＴＶ視聴モードとに切り替えて制御し、該撮影モードの場合は、前記ズーム操作部を前記撮影手段によって撮影される映像の画角調整を行うための操作部として機能させ、該ＴＶ視聴モードの場合は前記ズーム操作部を前記ＴＶ映像表示制御手段により表示するＴＶ映像の選局操作を行うための操作部として機能させるように制御する制御手段と、を有することを特徴とする撮影装置。
【請求項７】
前記ズーム操作部は、常に中立位置へと復帰するように構成された操作部材であり、
前記制御手段は、前記撮影モードの場合は前記ズーム操作部での前記画角調整でのズーミングのスピードを該ズーム操作部の押し量によって可変させるように制御し、前記ＴＶ視聴モードの場合は前記ズーム操作部による選局操作での選局のスピードを該ズーム操作部の押し量によって可変させるよう制御することを特徴とする請求項６に記載の撮影装置。
【請求項８】
前記撮影装置は更に、外部機器を接続する接続手段と、
前記接続手段に接続された外部機器がＴＶのチューナー機能を有する機器であるか否かを判別する判別手段と、を有し、
前記制御手段は前記判別手段の判別に従って前記撮影モードと前記ＴＶ視聴モードとを切り替えて制御することを特徴とする請求項６または７に記載の撮影装置。
【請求項９】
前記接続手段は、ＴＶのチューナー機能を有する機器と、前記撮影手段によって撮影した映像を記録可能な外部記録媒体とに接続可能であり、
前記判別手段は、前記接続手段に接続された外部機器が、前記ＴＶのチューナー機能を有する機器か、前記外部記録媒体であるかを判別し、
前記制御手段は、前記判別手段によって前記ＴＶのチューナー機能を有する機器が接続されたと判別されると、当該撮影装置を自動的に前記ＴＶ視聴モードに切り替えて制御することを特徴とする請求項８に記載の撮影装置。
【請求項１０】
被写体の映像を撮影する撮影ステップと、
前記撮影ステップによって撮影された映像を記録可能な外部記録媒体と、前記外部記録媒体とは異なる外部機器とに接続可能な接続手段を介してそのいずれかを接続する接続ステップと、
操作ステップと、
前記接続ステップにおいて接続されている機器を判別する判別ステップと、
前記判別ステップによる判別に応じて前記操作ステップで操作される操作部が持つ機能を切り替えるように制御する制御ステップと、を有することを特徴とする撮影方法。
【請求項１１】
被写体の撮影及びＴＶ映像の表示制御を行える撮影装置の撮影方法であって、
被写体の映像を撮影する撮影ステップと、
ズーム操作部からの操作を受け付けるズーム操作ステップと、
表示部にＴＶ映像を表示するよう制御するＴＶ映像表示制御ステップと、
当該撮影装置を少なくとも前記撮影ステップによって撮影を行う撮影モードと、前記ＴＶ映像表示制御ステップによってＴＶ映像を表示するように制御するＴＶ視聴モードとに切り替えて制御し、該撮影モードの場合は、前記ズーム操作部を前記撮影ステップによって撮影される映像の画角調整を行うための操作部として機能させ、該ＴＶ視聴モードの場合は前記ズーム操作部を前記ＴＶ映像表示制御ステップにより表示するＴＶ映像の選局操作を行うための操作部として機能させるように制御する制御ステップと、を有することを特徴とする撮影方法。
【請求項１２】
被写体の映像を撮影する撮影手段と、前記撮影手段によって撮影された映像を記録可能な外部記録媒体と、前記外部記録媒体とは異なる外部機器とに接続可能な接続手段と、 操作手段と、を備えた撮影装置を制御するためのプログラムであって、
前記接続手段に接続されている機器を判別する判別手段と、
前記判別手段による判別に応じて前記操作手段の機能を切り替えるように制御する制御手段としてコンピュータを機能させるためのプログラム。
【請求項１３】
被写体の映像を撮影する撮影手段と、ズーム操作部と、を備え、被写体の撮影及びＴＶ映像の表示制御を行える撮影装置を制御するためのプログラムであって、
表示部にＴＶ映像を表示するよう制御するＴＶ映像表示制御手段と、
当該撮影装置を少なくとも前記撮影手段によって撮影を行う撮影モードと、前記ＴＶ映像表示制御手段によってＴＶ映像を表示するように制御するＴＶ視聴モードとに切り替えて制御し、該撮影モードの場合は、前記ズーム操作部を前記撮影手段によって撮影される映像の画角調整を行うための操作部として機能させ、該ＴＶ視聴モードの場合は前記ズーム操作部を前記ＴＶ映像表示制御手段により表示するＴＶ映像の選局操作を行うための操作部として機能させるように制御する制御手段としてコンピュータを機能させるためのプログラム。
【請求項１４】
被写体の映像を撮影する撮影手段と、前記撮影手段によって撮影された映像を記録可能な外部記録媒体と、前記外部記録媒体とは異なる外部機器とに接続可能な接続手段と、 操作手段と、を備えた撮影装置を制御するためのプログラムであって、
前記接続手段に接続されている機器を判別する判別手段と、
前記判別手段による判別に応じて前記操作手段の機能を切り替えるように制御する制御手段としてコンピュータを機能させるためのプログラムを記録したコンピュータに読み取り可能な記録媒体。
【請求項１５】
被写体の映像を撮影する撮影手段と、ズーム操作部と、を備え、被写体の撮影及びＴＶ映像の表示制御を行える撮影装置を制御するためのプログラムであって、
表示部にＴＶ映像を表示するよう制御するＴＶ映像表示制御手段と、
当該撮影装置を少なくとも前記撮影手段によって撮影を行う撮影モードと、前記ＴＶ映像表示制御手段によってＴＶ映像を表示するように制御するＴＶ視聴モードとに切り替えて制御し、該撮影モードの場合は、前記ズーム操作部を前記撮影手段によって撮影される映像の画角調整を行うための操作部として機能させ、該ＴＶ視聴モードの場合は前記ズーム操作部を前記ＴＶ映像表示制御手段により表示するＴＶ映像の選局操作を行うための操作部として機能させるように制御する制御手段としてコンピュータを機能させるためのプログラムを記録したコンピュータに読み取り可能な記録媒体。
【手続補正２】
【補正対象書類名】明細書
【補正対象項目名】発明の名称
【補正方法】変更
【補正の内容】
【発明の名称】撮影装置及び方法並びにプログラム
【手続補正３】
【補正対象書類名】明細書
【補正対象項目名】０００８
【補正方法】変更
【補正の内容】
【０００８】
本発明の撮影装置は、被写体の映像を撮影する撮影手段と、前記撮影手段によって撮影された映像を記録可能な外部記録媒体と、前記外部記録媒体とは異なる外部機器とに接続可能な接続手段と、操作手段と、前記接続手段に接続されている機器を判別する判別手段と、前記判別手段による判別に応じて前記操作手段の機能を切り替えるように制御する制御手段と、を有することを特徴とする。
【手続補正４】
【補正対象書類名】明細書
【補正対象項目名】０００９
【補正方法】変更
【補正の内容】
【０００９】
また、本発明の撮影装置は、被写体の撮影及びＴＶ映像の表示制御を行える撮影装置であって、被写体の映像を撮影する撮影手段と、ズーム操作部と、表示部にＴＶ映像を表示するよう制御するＴＶ映像表示制御手段と、当該撮影装置を少なくとも前記撮影手段によって撮影を行う撮影モードと、前記ＴＶ映像表示制御手段によってＴＶ映像を表示するように制御するＴＶ視聴モードとに切り替えて制御し、該撮影モードの場合は、前記ズーム操作部を前記撮影手段によって撮影される映像の画角調整を行うための操作部として機能させ、該ＴＶ視聴モードの場合は前記ズーム操作部を前記ＴＶ映像表示制御手段により表示するＴＶ映像の選局操作を行うための操作部として機能させるように制御する制御手段と、を有することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明によれば、TV視聴が可能なカメラにおいて、カメラ本体の操作部を適宜TV視聴用の操作部として割り当てることによって、カメラの操作部を増やすことなくカメラにおける快適なTV視聴を可能にする。